(57)【特許請求の範囲】
【請求項１】
天板に設けた貫通孔に、柱状の脚部を差し込んだ構造の脚部調整台にあって、前記脚部の軸が、前記貫通孔の軸から傾斜していて、前記脚部側面が、前記貫通孔の一方の端側と他方の端側とで接触していることを特徴とした脚部調整台。
【請求項２】
天板に設けた貫通孔に、柱状の脚部を差し込んだ構造の脚部調整台にあって、前記脚部の軸が、前記貫通孔の軸から傾斜していて、前記脚部側面が、前記貫通孔の一方の端側と他方の端側とで接触し、前記脚部の軸方向を固定する固定機構を設けていることを特徴とした脚部調整台。
【請求項３】
天板に設けた貫通孔に、柱状の脚部を差し込んだ構造の脚部調整台にあって、前記脚部の軸が、前記貫通孔の軸から傾斜していて、前記脚部側面が、前記貫通孔の一方の端側と他方の端側とで接触し、前記脚部から伸びて、前記天板中心部と連結するゴム紐により、前記脚部の軸方向を固定する固定機構を設けていることを特徴とした脚部調整台。
【発明の詳細な説明】
【技術分野】
【０００１】本発明は、脚部調整台に関する。
【背景技術】
【０００２】アウトドアなどに持ち運び用とし、小型軽量で設置が容易な台が注目されるようになってきた。【０００３】そこで、持ち運びが容易で、段差や傾斜のある不整地でも、台を即座に設置できるものが注目されている。【０００４】ところで、脚部の高さを調整する方法として、特許文献１には、螺子で脚部を止める方法が提案されている。
【先行技術文献】
【特許文献】
【０００５】
【特許文献１】特開２０１３−１９８７０７公報
【発明の概要】
【発明が解決しようとする課題】
【０００６】しかし、従来の調整構造では、重く嵩張る金具や脚部部材が必要で、即座に高さ調整もできないので、持ち運びや設置が不便であった。
特に、特許文献１のような螺子で調整した場合には、手間がかかるうえに重量や部品点数も増加してしまう。【０００７】本発明は、上記の課題を解決する為のもので、小型軽量で、部品点数も少ない脚部調整構造により、持ち運びが容易で、即座に高さの調整ができる脚部調整台を提供するものである。
【課題を解決するための手段】
【０００８】本発明は、上記の課題を解決するために、下記の脚部調整台を提供するものである。
（１）天板に設けた貫通孔に、柱状の脚部を差し込んだ構造の脚部調整台にあって、前記脚部の軸が、前記貫通孔の軸から傾斜していて、前記脚部側面が、前記貫通孔の一方の端側と他方の端側とで接触していることを特徴とした脚部調整台。
（２）天板に設けた貫通孔に、柱状の脚部を差し込んだ構造の脚部調整台にあって、前記脚部の軸が、前記貫通孔の軸から傾斜していて、前記脚部側面が、前記貫通孔の一方の端側と他方の端側とで接触し、前記脚部の軸方向を固定する固定機能を設けていることを特徴とした脚部調整台。
（３）天板に設けた貫通孔に、柱状の脚部を差し込んだ構造の脚部調整台にあって、前記脚部の軸が、前記貫通孔の軸から傾斜していて、前記脚部側面が、前記貫通孔の一方の端側と他方の端側とで接触し、前記脚部から伸びて、前記天板中心部と連結するゴム紐により、前記脚部の軸方向を固定する固定機能を設けていることを特徴とした脚部調整台。
【発明の効果】
【０００９】本発明によれば、軽量で小型な脚部調整構造により、持ち運びが容易で、即座に高さ調整できる脚部調整台を提供することができる。
【図面の簡単な説明】
【００１０】
【図１】本発明の脚部調整台の基本構成の側面図を示している。
【図２】本発明の脚部調整台を傾斜面で使用した場合の側面図を示している。
【図３】本発明の脚部調整構造の部分拡大断面図を示している。
【図４】本発明の天板及び貫通孔の平面図を示している。
【図５】本発明の脚部調整台の脚部がたたまれた状態の側面図を示している。
【発明を実施するための形態】
【００１１】本発明の天板は、平面状の材料を加工した板で、リブ加工したり、周辺を折り曲げたりすると、重量増加を最小限に抑えて板強度が増加する。材質は、金属、木質、プラスチックまたはそれらの複合材などが使用できる。また、強化材としてのガラスまたはカーボンクロス、綿布、紙などの基材に樹脂を浸させて積層した積層板なども使用できる。
【００１２】本発明の脚部は、柱状のもので、内部が中空の筒状でもよい。断面は、円状、角状でもよい。
材質は、金属、木質、プラスチックまたはそれらの複合材などが使用できる。
また、強化材としてのガラスまたはカーボンクロス、綿布、紙などの基材に樹脂を浸させて柱状にしたものなども使用できる。
【００１３】本発明の貫通孔は、天板に設けた貫通状の穴で、脚部が差し込まれる。
天板内側のほか、天板周辺にはみ出して設けてもよい。
はみ出して設ける場合には、天板から一体に突出させてもよいが、たとえば金属片をΩ状に加工し、付加的に設けてもよい。
【００１４】本発明の貫通孔の断面形状は、柱状の脚部に合わせたものとなるが、摩擦係数を調整するため、貫通孔の表面を被服するように、ゴムまたはスズやアルミニウムのような柔らかな金属などの異素材の貫通孔部品を使うこともできる。この貫通孔部品を追加使用した場合の貫通孔の軸とは、貫通孔部品の貫通軸が貫通孔の軸となる。
いずれにしても、脚部の横断面の径よりは、貫通孔横断面の径または貫通孔部品を追加使用した場合は貫通孔部品の径は、脚部の差し込みができる程度に大きくする。
【００１５】本発明の脚部の固定機構は、脚部の軸を、貫通孔の軸から傾斜させて、脚部の側面が、貫通孔の一方の端側と他方の端側とで接触し、その部分の摩擦により脚部が天板の貫通孔のところで固定することにより生じる。
向きは、天板中心部分のほか逆に反対方向の周辺部分でもよい。
脚部の軸を傾斜させる方法としては、ゴム紐等によって、天板中心部分または逆方向に引っ張り圧力を掛けると容易となる。
【００１６】本発明の脚部の固定方法は、脚部側面が、貫通孔の一方の端側と他方の端側とで接触することで、ゴム紐等で引っ張らずに、接触状態を維持するように天板に設けた金具などで脚部側面を押さえつけて固定してもよい。金具は、バネ状のものが特に好ましい。
【００１７】以下、本発明の実施の形態を図面に基づいて説明する。
【００１８】図１は、本発明の基本構成の側面図である。
柱状の脚部２外形よりもわずかに大きな脚部差し込み貫通孔４の軸に対して、垂直に脚部２を差し込み、脚部２に付帯したゴム紐３により脚部２下方から天板１中心部分に引っ張り圧力を掛け、脚部２を貫通孔４の軸に対して傾斜した状態にし、貫通孔４の一方の端側と他方の端側とで接触し、脚部２の軸方向を固定する状態を示している。
図１では、貫通孔４の軸は、天板１の表面から垂直方向となっているが、下側が外側に開いた方向であれば、固定される脚部２の軸方向はその分、垂直方向に近づき、着地範囲が広がる。
【００１９】図２は、本発明を傾斜面で使用した状態の側面図である。
脚部２の天板１からの長さは、それぞれ別々に貫通孔４に差し込んだ長さにより調整でき、脚部２に付帯したゴム紐３により脚部２下方から天板１中心部分に引っ張り圧力を掛け、脚部２を貫通孔４の軸に対して傾斜した状態にし、貫通孔４の一方の端側と他方の端側とで接触し、脚部２の軸方向を固定する状態を示している。
脚部２は、それぞれ独立して天板１からの長さを調整できるので、傾斜した場所でも天板１を水平に近い状態に近づけることができる。
【００２０】本発明の脚部２の調整について、図３に基づいて説明する。
図３は、本発明の脚部調整構造の部分拡大断面図を示している。
図３（ａ）は、固定状態を、図３（ｂ）は、浮動状態を示している。
図３（ａ）に示すように、貫通孔４の孔表面には、追加して貫通孔部品５を被服して設けている。
この場合は、脚部２の軸が、貫通孔部品５の孔軸から傾斜していて、脚部２の側面が、貫通孔部品５の一方の端側と他方の端側とで接触することで脚部２が貫通孔４の所で固定され、脚部２の長さを調節している。
また、図３（ｂ）に示すように、脚部２を脚部差し込みの貫通孔４（図３場合は貫通孔部品５）に対して同軸方向に戻す事により、脚部２と脚部差し込みの貫通孔４との（図３場合は貫通孔部品５との）摩擦力を無くし、脚部２のそれぞれが独立した状態で、脚部２の個々に上下方向への調整が容易に可能となる。
【００２１】また、この摩擦力による固定方法は、金具やネジ等による固定方法よりも、部品点数や部品重量を減少し、全体重量が軽くなる効果もある。
【００２２】本発明の天板１及び貫通孔４について、図４に基づいて説明する。
貫通孔４は図４（ｂ）のように天板内側のほか、図４（ａ）のように天板周辺にはみ出して設けてもよい。天板周辺にはみ出して設けることにより、同じ天板面積でも着地範囲が広がる。
【００２３】天板１は金属製の薄板材を使用し、強度を保つ為に四方を直角に折り、脚部差し込みの貫通孔４を四方向の角にそれぞれあけ、摩擦力を増大させる為に貫通孔４に貫通孔部品５を取り付けている。
【００２４】図５は、本発明の脚部調整台の脚部がたたまれた状態の側面図を示している。
ゴム紐２は、一端が天板１の貫通孔４の表面側で固定され、天板１の表面から貫通孔４を通し、内部が中空の筒状になっていている脚部２内を通し、天板１の裏面の中心部で他端が固定されている。脚部２は、貫通孔４から引き抜かれていて、天板１の裏面に接するように平行方向に配置され、脚部２がたたまれた状態なることを示している。
【符号の説明】
【００２５】  １…天板、２…脚部、３…ゴム紐、４…貫通孔、５…貫通孔部品
【図１】
0006976502.tif 000002
【図２】
0006976502.tif 000003
【図３】
0006976502.tif 000004
【図４】
0006976502.tif 000005
【図５】
0006976502.tif 000006